(57)【要約】      （修正有）【課題】エスカレータの利用者に転倒者などが出て、非常用停止ボタンを押す場合、恐慌状態になり、「エスカレータが止まる。手すりを持って下さい」と言わないで停止ボタンを押すと、手摺りを持っていない利用者が将棋倒しになり、大きな被害を生ずる虞れがあるので事前に防止する。【解決手段】非常用停止装置３の先端に、音声発声装置６の開閉スイッチ７を設け、これを押し込む事により、回路が閉じ、先ず注意を促す音声を発し、標識灯が点灯し、その後に非常用停止ボタン２が押し込まれるので、利用者が音声を聞き、手摺りを掴み危険に対する心構えをすることができるので、エスカレータが停止することで生じうる重大な２次的被害を防止できる。【選択図】図２
2011225368.tif 000002
【特許請求の範囲】
【請求項１】
エスカレータに設けられた。停止ボタンを押す事により、エスカレータを停止させる非常用停止装置において。
停止ボタンに対し、音声発声装置の電気回路を開閉する開閉スイッチの被接触片と、ばねと、接触片とを設けたことを特徴とする、注意を喚起する音声を発声する、エスカレータの非常用停止装置。
【請求項２】
請求項１記載の発明であって、且つ、注意を喚起する標識灯の点灯装置を、音声発声装置と並列の回路になるようにして設けたことを特徴とする。
【請求項３】
請求項１、請求項２記載の発明であって、且つ、開閉スイッチの一端を軸により軸着させて、回動するようにしたことを特徴とする。
【発明の詳細な説明】
【技術分野】
【０００１】  本発明はエスカレータの非常用停止装置に関する。
【背景技術】
【０００２】  エスカレータの乗り口、降り口に設けられた、停止ボタンを押す事により、エスカレータが止る非常用停止装置において。
【先行技術分野】
【０００３】  今迄に、注意を喚起する音声を発声する非常用停止装置は見られなかった。
本発明に類似したものとして、自動車などの右折、左折、後退の場合、注意を喚起する音声の発声装置が見られた。
本発明もこれに似ているようであるが、状況、結果などに大きい差異が見られる。自動車の場合は１次的被害（事故）は起きておらず、パニック状態になってはいない、その起きる可能性のある被害（事故）を予め防止する為に、自動車の運転者が、注意を喚起する音声を発声する装置の回路を閉じる（入れる）事になる。
【発明の概要】
【０００４】  第１の発明は、請求項１記載の発明であって、エスカレータが運転中、利用者の転倒などの事故で１次的被害が発生し、非常用停止装置の先部の開閉スイッチを押した場合、「エスカレータが止る。手摺りに掴まるように」と、注意を喚起する音声（以下、注意音声と謂う）を発声して且つ、停止ボタンが押され、エスカレータを駆動する電動機（以下電動機と謂う）が止り、エスカレータが緩く停止する非常用停止装置に関する。
【０００５】  第２の発明は、請求項２記載の発明であって、耳の聞こえ難い人は注意音声が聞こえ難く、被害に遭う虞があるので、注意を喚起する文字や標識灯の点灯装置（以下、文字や標識灯の点灯装置と謂う）である。
第３の発明は、請求項３記載の発明であって、且つ、開閉スイッチの一端を軸により軸着させて、回動するようにして、狭いエスカレータの設置場所でも場所を取らず円滑に作動するようにしたものである。
【発明が解決しようとする課題】
【０００６】  エスカレータの利用者（以下利用者と謂う）が転倒などして、１次的な被害（事故）が起こり、恐慌（パニック）状態の時に２次的な被害を防止する為、非常用停止装置の停止ボタンを押す訳であるが、たまたま、そこに居合わせた人で恐慌状態の悲鳴を上げて混乱する中で、装置の取り扱いに不馴れな人が、「エスカレータが止る。手摺りを掴むように」との注意音声を発声するのは困難で、注意をしないで慌てて非常停止ボタンを押しかねない。【０００７】  手摺りを持っていない利用者が多く見受けられるが、注意音声を発声せずに、エスカレータを急に止めると、エスカレータに乗っている多くの利用者が将棋倒しになり、被害を増大する虞がある。【０００８】  特に下降するエスカレータの場合、利用者が雪崩状態に落下する虞もあり、しかも利用者の中でも、足腰の弱った老人、子供、妊産婦など、病院などで体力の衰えた病人など、恐ろしい被害を増大する危険もある。
また、エスカレータの設置場所は狭く、大きく場所を取るものは設置し難く、場所を取らずに設置できて確実に作動できるものが望ましいい。
【課題を解決するための手段】
【０００９】  エスカレータの乗り口、降り口に設けられた。停止ボタンを押す事によりエスカレータを停止させる、非常用停止装置において。
第１の発明は、それぞれの非常用停止装置の先部に注意音声を発声する音声発声装置（以下、音声発生装置と謂う）の開閉スイッチを設けたものであって、これを押しさえすれば、まず音声発声装置の回路が閉じて、注意音声が発声して利用者に注意を喚起すると共に、続いて停止ボタンが押され、エスカレータが停止する。
故に利用者が危険に対し身構え、手摺りを掴むので、人命に関わる重大な２次的被害を防止することができる。【００１０】  第２の発明は、第１の発明であって、且つ、耳の聞こえ難い利用者の為に注意を喚起する文字や標識灯の点灯装置を、音声発声装置と並列の電気回路になるようにして、それぞれ適宜の個所に設けた。
第３の発明は第１、第２の発明であって、且つ、開閉スイッチの一端を軸により軸着させて、回動するようにして、エスカレータの狭い設置場所でも場所を取らず、円滑に確実に作動して同じ効果を期待できるようにした。
【発明の効果】
【００１１】  簡単なしくみで、しかも煩雑な操作が必要でなく、非常用停止装置の先の突き出している部分を押すだけの簡単な操作で、注意音声が発声して危険を注意してエスカレータが止るので、人命に関わるような重大な２次的被害を防止できる。【００１２】  第１の発明は、利用者が転倒などして、１次的被害（事故）が起き、恐慌（パニック）状態の中で、その場に居合わせた機械に不馴れな人でも、停止ボタンのところの突き出し部を押す操作で、自動的に注意音声が発声し、且つ、電動機が緩やかに停止して、従って穏やかにエスカレータが停止する。
利用者が音声を聞き、手摺りを掴み危険に対する心構えをするので、将棋倒しになるなどの２次的な被害（事故）、人命にも係わるような危険を防止する事が出来る。【００１３】  第２の発明は耳の聞こえ難い人でも、文字や標識灯により気がついて身構え、手摺りを掴むので人命に関わるような被害を防止する事が出来る。
第３の発明は第１、第２の発明であって、且つ、開閉スイッチの一端を軸により軸着させて、回動するようにして狭い設置場所でも場所を取らず円滑に確実に作動して同じ効果を期待できる。
【図面の簡単な説明】
【００１４】
【図１】エスカレータの断面図
【図２】請求項１記載の発明の断面図
【図３】請求項１記載の発明の断面図
【図４】請求項１、２記載の発明の配線図
【図５】請求項３記載の発明の断面図
【発明を実施するための形態】
【００１５】  本発明を図１から図５により説明する。
第１の発明は、図１、の如く、現在広く使われている、エスカレータ１の乗り口、降り口に設けられた停止ボタン２を押す（押し込む、押し入れる）事により、エスカレータ１を停止させる非常用停止装置３において。
【００１６】  図２、のように、非常用停止装置３の先部に筒状の筐体４を嵌合し、その中に停止ボタン２に対してばね５を介し、音声発声装置６の電気回路を開閉する開閉（入切）スイッチ７の被接触片８と、ばね９と、接触片１０と、これらと停止ボタン３を図３、のように押し入れる為の前記開閉スイッチ７の突き出し部１１を摺動自在にして設け、且つ、筐体４には音声発声装置へのコードの移動に支障の無いようにスリットを有し、且つ、それぞれの開閉スイッチ７の被接触片８と接触片１０は図４、の如く並列の電気回路になるように形成したものである。
また、この場合、ばね９の弾力は停止ボタンのばねより、弾力（反発力）を弱くするものとする。
【００１７】  第２の発明は、第１の発明であって且つ、耳の聞こえ難い利用者の為に、文字や標識灯の点灯装置１２を、図４、の如く音声発声装置６と並列の回路になるようにして、適宜の個所に適当数設けたものである。
このようにして、エスカレータの利用者に転倒者が出るなどして、この開閉スイッチ７の突き出し部１１を押し入れた場合、停止ボタンのばねより、ばね９の弾力は弱いので、図２、図３のようにまず開閉スイッチ７の被接触片８と接触片１０、が接触して音声発声装置６の回路が閉じ（入り）、注意音声を発声する。
この場合、それぞれの開閉スイッチ７が図４の如く、並列に回路を形成しているので乗り口、降り口のどちらの非常用停止装置３の突き出し部１１を押しても音声発声装置の回路が閉じて注意音声を発声し、次に停止ボタン２が押し込まれるので電動機１３の電気回路が開き（切れ）停止する。
【００１８】  また、突き出し部１１を押し込んだ状態はロック装置１４により保持され、復元は人力でなされる。
本発明の電源１５は通常の家庭用１００Ｖで、なお必要に応じて電圧を下げても良いと思われる。
【００１９】  また筒状の筺体４に代え、図５のように開閉スイッチ７のそれぞれの一端を軸１６により、非常用停止装置や、エスカレータの所要の所に軸着させて回動するようにしても良く、このようにすればエスカレータの設置場所の狭いスペースに場所を取らず、作動が円滑で確実に同じ効果を期待できる。
【００２０】  このように、もし利用者が転倒して１次的被害が生じ、恐慌状態で混乱する中で、居合わせた人が注意の音声を言うのを忘れ、非常用停止装置の先部の開閉スイッチ７の突き出し部分１１を押し込んでも、発声装置が注意音声を発声するとともに、文字や標識の点灯装置が点灯し、他の利用者が手摺りを掴み、危険に対応する心構えをして、且つ、電動機１３が穏やかに停止してエスカレータが止り、将棋倒しになるのを免れ、人命に関わるような被害を防止することになる。
【００２１】  なお、音声発声装置６は、音声録音機（レコーダ）のように注意音声をＩＣチップ、ＣＤなどの記憶媒体に記憶して回路が閉じると、先ず柔らかく落ち着いた声が流れて恐慌状態を和らげ、沈静させながら注意音声が流れる。この場合、声が通って分かりやすい女性の声が好ましい。これはスピーカで発声されるが、適宜の時間が過ぎると止る。
【００２２】  またこの場合、電気回路が開く（切れる）と、前記電動機１３の回転が鈍り、且つ、軸に固定されたドラムを弾性ばねにより摩擦片が締めつけ、エスカレータが停止距離５５センチから１００センチで穏やかに停止する。
【実施例１】
【００２３】  日本の言葉の分かり難い観光客などの外国の人の為、英語でエスカレータの停止を知らせ、手摺りに掴まるようにメッセージを発声する。
【符号の説明】
【００２４】１    エスカレータ
２    非常停止ボタン
３    非常用停止装置
４    筒状の筐体
５    ばね
６    音声発声装置
７    開閉スイッチ
８    被接触片
９    ばね
１０  接触片
１１  突き出し部
１２  標識灯点灯装置
１３  電動機
１４  ロック装置
１５  本発明の電源
１６  軸
【図１】
2011225368.tif 000003
【図２】
2011225368.tif 000004
【図３】
2011225368.tif 000005
【図４】
2011225368.tif 000006
【図５】
2011225368.tif 000007